(57)【要約】【課題】携帯情報端末の電源状態にかかわらず所在が不明になった携帯情報端末の現在の位置情報を所有者が知る。【解決手段】携帯情報端末１０２は、携帯情報端末の待ち受け状態で起動する待ち受け状態タイマー及び携帯情報端末の電源がオフの状態で補助電源２１６により起動する起動タイマーを備える時計部２０８と、前記待ち受け状態タイマー又は前記起動タイマーが予め設定された値をカウントする毎に、携帯情報端末の位置情報を携帯情報端末センターに送信する通信部２０５と、を備える。【選択図】　図２
2004007194.tif 000002
【特許請求の範囲】
【請求項１】
携帯情報端末の情報を蓄積する携帯情報端末検索センターが、前記携帯情報端末の情報を検索要求に応じて通知する携帯情報端末検索サービスシステムであって、前記携帯情報端末が、
携帯情報端末の待ち受け状態で起動する待ち受け状態タイマーと、
携帯情報端末の電源がオフの状態で補助電源により起動する起動タイマーと、
前記待ち受け状態タイマー又は前記起動タイマーが予め設定された値をカウントする毎に、前記位置情報を前記携帯情報端末センターに送信する送信手段と、を備え、
前記携帯情報端末検索センターが、前記携帯情報端末が送信した位置情報を通知することを特徴とする携帯情報端末検索サービスシステム。
【請求項２】
前記携帯情報端末が、
携帯情報端末のパスワードを変更するパスワード変更手段と、
前記パスワードの変更後、携帯情報端末をロックするロック手段と、を備え、
前記送信手段が、変更後のパスワードを前記携帯情報端末検索センターに送信し、
前記携帯情報端末検索センターが、前記携帯情報端末が送信した変更後のパスワードを通知することを特徴とする請求項１に記載の携帯情報端末検索サービスシステム。
【請求項３】
検索要求のあった携帯情報端末の情報が前記携帯情報端末検索センターに蓄積されていないときは、前記携帯情報端末検索センターが、前記検索要求のあった携帯情報端末との通信により前記携帯情報端末の情報を取得し通知することを特徴とする請求項１又は２に記載の携帯情報端末検索サービスシステム。
【請求項４】
携帯情報端末の情報を蓄積する携帯情報端末検索センターが、前記携帯情報端末の情報を検索要求に応じて通知する携帯情報端末検索サービスシステムにおいて使用される携帯情報端末であって、
携帯情報端末の待ち受け状態で起動する待ち受け状態タイマーと、
携帯情報端末の電源がオフの状態で補助電源により起動する起動タイマーと、
前記待ち受け状態タイマー又は前記起動タイマーが予め設定された値をカウントする毎に、前記携帯情報端末センターが通知する情報として前記位置情報を送信する送信手段と、
を備えたことを特徴とする携帯情報端末。
【請求項５】
携帯情報端末のパスワードを変更するパスワード変更手段と、
前記パスワードの変更後、携帯情報端末をロックするロック手段と、を備え、
前記送信手段が、前記携帯情報端末センターが通知する情報として変更後のパスワードを前記携帯情報端末検索センターに送信しすることを特徴とする請求項４に記載の携帯情報端末。
【発明の詳細な説明】
【０００１】
【発明の属する技術分野】
本発明は、携帯情報端末の情報を蓄積する携帯情報端末検索センターが、前記携帯情報端末の情報を検索要求に応じて通知する携帯情報端末検索サービスシステム及び携帯情報端末に関するものである。
【０００２】
【従来の技術】
携帯情報端末を紛失又は盗難された場合に、現状では、その所在を追跡することができないため、所有者は携帯情報端末事業者との間で、解約又は新規契約、他機種への交換といった選択をしなければならない。したがって、紛失、盗難された携帯情報端末を容易に探索できるサービスシステムが必要とされている。
【０００３】
従来、携帯情報端末探索サービスシステムとしては、特開２００１−２７５１６３号公報に記載されたものが知られている。この携帯情報端末探索サービスシステムは、携帯情報端末が電源切れの直前、又は電源をオフした際に位置を登録要求し、携帯情報端末探索センターに現在の携帯情報端末の位置登録情報の更新を行い、携帯情報端末の所在を特定するものである。
【０００４】
【発明が解決しようとする課題】
しかしながら、上記従来の携帯情報端末探索サービスシステムにおいては、携帯情報端末の電源がオフの状態では、携帯情報端末の位置情報の発信ができないため、電源がオフの携帯情報端末が別の場所に移動させられると、電源オフ時に発信した位置情報と現在位置とが一致しなくなってしまうという問題があった。さらに、紛失、盗難された携帯情報端末は、他の利用者に悪用されてしまうという問題があった。
【０００５】
本発明の目的は、携帯情報端末の電源状態にかかわらず所在が不明になった携帯情報端末の現在の位置情報を所有者が知ることができる携帯情報端末検索サービスシステム及び携帯情報端末を提供することを目的とする。さらに、紛失、盗難により所在が不明になった携帯情報端末が他の利用者に悪用されることのない携帯情報端末検索サービスシステム及び携帯情報端末を提供することを目的とする。
【０００６】
【課題を解決するための手段】
本発明の請求項１に記載の携帯情報端末検索サービスシステムは、携帯情報端末（１０２）の情報を蓄積する携帯情報端末検索センター（１０５）が、前記携帯情報端末の情報を検索要求に応じて通知する携帯情報端末検索サービスシステム（１０１）であって、前記携帯情報端末が、携帯情報端末の待ち受け状態で起動する待ち受け状態タイマー（２０８）と、携帯情報端末の電源がオフの状態で補助電源（２１６）により起動する起動タイマー（２０８）と、前記待ち受け状態タイマー又は前記起動タイマーが予め設定された値をカウントする毎に、前記位置情報を前記携帯情報端末センターに送信する送信手段（２０５）と、を備え、前記携帯情報端末検索センターが、前記携帯情報端末が送信した位置情報を通知することを特徴とする。
【０００７】
この構成により、待ち受け状態タイマー又は起動タイマーにより一定時間毎に携帯情報端末の位置情報を携帯情報端末検索センターに送信することで、携帯情報端末の電源状態にかかわらず、検索要求のあった携帯情報端末の現在の位置情報を通知することができる。
【０００８】
請求項２に記載の携帯情報端末検索サービスシステムは、請求項１に記載の携帯情報端末検索サービスシステムは、前記携帯情報端末が、携帯情報端末のパスワードを変更するパスワード変更手段と、前記パスワードの変更後、携帯情報端末をロックするロック手段と、を備え、前記送信手段が、変更後のパスワードを前記携帯情報端末検索センターに送信し、前記携帯情報端末検索センターが、前記携帯情報端末が送信した変更後のパスワードを通知することを特徴とする。
【０００９】
この構成により、携帯情報端末をロックすることで、紛失、盗難により所在が不明になった携帯情報端末が他の利用者に悪用されることがない。なお、携帯情報端末の利用者は、携帯情報端末検索センターから通知される変更後のパスワードを利用することで、携帯情報端末を利用することができる。
【００１０】
請求項３に記載の携帯情報端末検索サービスシステムは、請求項１又は２に記載の携帯情報端末検索サービスシステムにおいて、検索要求のあった携帯情報端末の情報が前記携帯情報端末検索センターに蓄積されていないときは、前記携帯情報端末検索センターが、前記検索要求のあった携帯情報端末との通信により前記携帯情報端末の情報を取得し通知することを特徴とする。
【００１１】
この構成により、携帯情報端末検索サービスセンターから携帯情報端末に対して携帯情報端末の情報を取得することで、携帯情報端末検索サービスセンターに検索要求のあった携帯情報端末の情報が蓄積されていなくても、検索要求のあった携帯情報端末の情報を通知することができる。
【００１２】
【発明の実施の形態】
以下、本発明の実施の形態について、図１から図６を参照しながら詳細に説明する。
【００１３】
図１は、本発明の第一の実施の形態における携帯情報端末探索サービスシステムの構成図である。携帯情報端末探索サービスシステム１０１は、携帯情報端末１０２と、基地局１０３と、ＧＰＳ人工衛星１０４と、携帯情報端末探索センター１０５と、ネットワーク１０９とから構成されている。基地局１０３と携帯情報端末探索センター１０５はネットワーク１０９で接続されている。携帯情報端末探索センター１０５には、所有者データベース１０７と、携帯情報端末情報データベース１０８が備えられている。所有者１０６は、携帯情報端末１０２を紛失した所有者である。
【００１４】
図１において、携帯情報端末１０２は、所在が不明になった携帯情報端末であり、この携帯情報端末は、携帯電話、ＰＨＳ（Ｐｅｒｓｏｎａｌ　Ｈａｎｄｙｐｈｏｎｅ　Ｓｙｓｔｅｍ）、ＰＤＡ（Ｐｅｒｓｏｎａｌ　Ｄｅｇｉｔａｌ　Ａｓｓｉｓｔａｎｔ）など、双方向型通信ができる端末である。基地局１０３は、携帯電話端末やＰＨＳの基地局である。ＧＰＳ人工衛星１０４は、緯度や経度など位置を検出するための人工衛星であり、携帯情報端末１０２はＧＰＳ人工衛星１０４が送信する情報から、自らの所在する位置を算出する。
【００１５】
携帯情報端末探索センター１０５は、所有者データベース１０７と携帯情報端末情報データベース１０８を備えており、所有者データベース１０７は、所有者１０６の携帯情報端末１０２の電話番号とシリアル番号で構成する携帯情報端末１０２の固有情報、紛失した携帯情報端末１０２の所有者１０６であることを証明するためのパスワードやキーワード、所有者１０６への連絡手段、所有者１０６の連絡先や電子メールアドレスで構成する所有者１０６を特定するための情報が保存されている。
【００１６】
携帯情報端末情報データベース１０８は、所在が不明になった携帯情報端末１０２との通信で得た携帯情報端末１０２の電話番号やシリアル番号や位置情報データ、携帯情報端末１０２自身が変更したパスワードデータ、携帯情報端末１０２との通信履歴のデータを保存するためのものである。携帯情報端末探索センター１０５は、所在が不明になった携帯情報端末１０２の端末情報を管理探索する手段を備えており、所有者１０６からの探索要求により、携帯情報端末１０２への通信を行い、携帯情報端末１０２の位置情報とパスワードデータを所有者１０６へ電話、ＦＡＸ、電子メールなどの連絡手段で通知する機能を有する。
【００１７】
図２は、本発明の第一の実施の形態における携帯情報端末探索サービスシステムにおいて使用される携帯情報端末１０２のブロック図である。
【００１８】
携帯情報端末１０２は、システム制御部２０１と、通信部２０５と、Ｉ／Ｏコントローラ２０６と、位置情報取得部２０７と、時計部２０８と、電源制御部２０９とから構成されており、それぞれがバス２１７で接続されている。Ｉ／Ｏコントローラ２０６には、ディスプレイ２１１と、キー２１２と、スピーカ２１３と、マイク２１４とが接続されている。電源制御部２０９には、電池２１５と、補助電池２１６とが接続されている。
【００１９】
システム制御部２０１は、携帯情報端末１０２の全体を制御し、データ処理を実行するＣＰＵ２０２を制御するプログラムを格納する書き換えが可能なフラッシュ型ＲＯＭ２０３と、位置情報データやタイマーのカウント値やパスワード、携帯情報端末探索センター１０５の電話番号、プログラムのワークエリアとして用いるＲＡＭ２０４とから構成されている。
【００２０】
通信部２０５は、アンテナ２１０から基地局１０３やＧＰＳ人工衛星１０４などと無線による通信を行う。
【００２１】
Ｉ／Ｏコントローラ２０６は、ディスプレイ２１１やキー２１２やスピーカ２１３やマイク２１４などの入出力装置とシステム制御部２０１をバス２１５を経由して通信する。ディスプレイ２１１は、液晶ディスプレイで構成されていて、文字や絵などを出力する。キー２１２は、必要な情報を入力したり、設定を操作したりするための複数のキーを備える。スピーカ２１３は、音声を出力する。マイク２１４は、音声を入力する。
【００２２】
位置情報取得部２０７は、基地局１０３やＧＰＳ人工衛星１０４との通信で取得した携帯情報端末１０２の現在の位置を表す経度や緯度による位置データから携帯情報端末１０２の所在する位置を算出し、「○○県××市◇◇区□□町△△番地」という位置情報データに変換する。時計部２０８は、時計とタイマーの機能を備える。
【００２３】
電源制御部２０９は、携帯情報端末１０２の電源である電池２１５、補助電池２１６と接続されており、電池２１５は、携帯情報端末１０２の電源がオンの場合、前記各部に所要の電源を供給する。補助電池２１６は、携帯情報端末１０２の電源がオフの場合、システム制御部２０１と時計部２０８のみへ電源を供給する。
【００２４】
図３は、携帯情報端末１０２の電源がオンの場合、待ち受け状態の時間があらかじめ設定した値を超えた時に、携帯情報端末１０２の位置情報データを取得し、携帯情報端末探索センター１０５へ位置情報を送信する処理を示すフローチャートである。
【００２５】
図４は、携帯情報端末１０２の電源がオフの場合、起動タイマーにより、携帯情報端末１０２の電源をオンにし、携帯情報端末１０２の位置情報データを取得し、携帯情報端末探索センター１０５へ位置情報を送信する処理を示すフローチャートである。
【００２６】
図５は、携帯情報端末探索センター１０５が携帯情報端末１０２から位置情報やパスワードなどのデータを受信したときの処理を示すフローチャートである。図６は、携帯情報端末探索センター１０５が携帯情報端末１０２を紛失した所有者１０６から探索要求を受けたときの処理を示すフローチャートである。
【００２７】
まず、図１、図２及び図３を参照して、携帯情報端末１０２の電源がオンの場合、待ち受け状態の時間があらかじめ設定した値を超えた時に、携帯情報端末１０２の位置情報データを取得し、携帯情報端末探索センター１０５へ位置情報を送信する処理について説明する。
【００２８】
ステップ３０１で、他の携帯情報端末との通信をしていない、又は、所有者１０６が携帯情報端末１０２のキー２１２に触れていないなど、携帯情報端末１０２が待ち受け状態になっていることを、システム制御部２０１が認識し、待ち受け状態の処理を実行する。
【００２９】
ステップ３０２で、所有者１０６が他の携帯情報端末や電話などと通信しているかをチェックする。通信していないと判断した場合、ステップ３０３を実行し、通信している場合、携帯情報端末１０２の待ち受け状態の処理を無効にするようにする。
【００３０】
ステップ３０３で、時計部２０８のタイマーを実行し、待ち受け状態の時間をカウントアップし、このカウント値をＲＡＭ２０４に保存する。
【００３１】
ステップ３０４で、ステップ３０３で保存された待ち受け状態時間のカウント値と、あらかじめ所有者１０６が設定した待ち受け状態期間の設定値をＲＡＭ２０４から読み出し、比較する。待ち受け状態時間のカウント値が所有者１０６の設定した待ち受け状態期間の設定値を超えた場合は、ステップ３０５を実行し、超えていない場合は、ステップ３０２を再度実行する。
【００３２】
ステップ３０５で、従来の携帯情報端末１０２のパスワードデータをＲＡＭ２０４から読み込み、ランダムでパスワードを変更し、ＲＡＭ２０４へ保存後、携帯情報端末１０２にロックをかける。この状態で、当該携帯情報端末は、変更されたパスワードなしには使用できないようにされている。
【００３３】
ステップ３０６で、通信部２０５を経て、基地局１０３、ＧＰＳ人工衛星１０４と通信し、携帯情報端末１０２の現在の位置を表す経度や緯度による位置データを取得する。
【００３４】
ステップ３０７で、ステップ３０６で取得した携帯情報端末１０２の現在の位置データを位置情報取得部２０７に入力し、自らの携帯情報端末１０２の所在する位置を算出し、「○○県××市◇◇区□□町△△番地」という位置情報データに変換し、ＲＡＭ２０４に保存する。
【００３５】
ステップ３０８で、ＲＡＭ２０４から、ステップ３０５で作成されたパスワードデータと、ステップ３０７で作成された位置情報データと、携帯情報端末探索センター１０５の電話番号と、携帯情報端末１０２の電話番号とシリアル番号を読み出し、これらのデータを携帯情報端末探索センター１０５へ送信する。
【００３６】
ステップ３０９で、携帯情報端末探索センター１０５から、携帯情報端末情報データベース１０８への登録の確認信号の受信をチェックする。受信していない場合は、ステップ３０８を再度実行し、受信した場合は、ステップ３１０を実行する。
【００３７】
ステップ３１０で、携帯情報端末探索センター１０５への送信履歴をＲＡＭ２０４に保存し、ＲＡＭ２０４に保存されている待ち受け状態時間のカウント値を初期化し、ステップ３０１を繰り返し実行する。
【００３８】
つぎに、図１、図２及び図４を参照して、携帯情報端末１０２の電源がオフの場合、起動タイマーにより、携帯情報端末１０２の電源をオンにし、携帯情報端末１０２の位置情報データを取得し、携帯情報端末探索センター１０５へ位置情報を送信する処理について説明する。
【００３９】
ステップ４０１で、携帯情報端末１０２の電源がオフか否かの判断をする。ステップ４０２で、携帯情報端末１０２の電源がオフにされると、電源制御部２０９が補助電池２１６と接続し、システム制御部２０１と時計部２０８へ所要の電源を供給する。
【００４０】
ステップ４０１で、電源がオフでないの場合には、図３の処理になる。ステップ４０３で、時計部２０８の起動タイマーを実行し、起動タイマーのカウンターをカウントアップし、このカウント値をＲＡＭ２０４に保存する。
【００４１】
ステップ４０４で、ステップ４０３で保存された起動タイマーのカウント値と、あらかじめ所有者１０６が設定した起動タイマー期間の設定値をＲＡＭ２０４から読み出し、比較する。起動タイマーのカウント値が所有者１０６が設定した起動タイマーの期間の設定値を超えた場合は、ステップ４０５を実行し、越えていない場合は、ステップ４０３を再度実行する。
【００４２】
ステップ４０５で、携帯情報端末１０２の電源をオンにし、電源制御部２０９が補助電池２１６から電池２１５へ切り替えて、携帯情報端末１０２内各部へ電源を供給する。
【００４３】
ステップ４０６で、従来の携帯情報端末１０２のパスワードデータをＲＡＭ２０４から読み込み、ランダムでパスワードを変更し、ＲＡＭ２０４へ保存後、携帯情報端末１０２にロックをかける。この状態で図３の場合と同様に、当該携帯情報端末は、変更されたパスワードなしには使用できないようにされている。
【００４４】
ステップ４０７で、通信部２０５を経て、基地局１０３、ＧＰＳ人工衛星１０４と通信し、携帯情報端末１０２の現在の位置を表す経度や緯度による位置データを取得する。
【００４５】
ステップ４０８で、ステップ４０７で取得した携帯情報端末１０２の現在の位置データを位置情報取得部２０７に入力し、自らの携帯情報端末１０２の所在する位置を算出し、「○○県××市◇◇区□□町△△番地」という位置情報データに変換し、ＲＡＭ２０４に保存する。
【００４６】
ステップ４０９で、ＲＡＭ２０４から、ステップ４０６で作成されたパスワードデータと、ステップ４０８で作成された位置情報データと、携帯情報端末探索センター１０５の電話番号と、携帯情報端末１０２の電話番号とシリアル番号を読み出し、これらのデータを携帯情報端末探索センター１０５へ送信する。
【００４７】
ステップ４１０で、携帯情報端末探索センター１０５から、携帯情報端末情報データベース１０８への登録の確認信号の受信をチェックする。受信していない場合は、ステップ４０９を再度実行し、受信した場合は、ステップ４１１を実行する。
【００４８】
ステップ４１１で、携帯情報端末探索センター１０５への送信履歴をＲＡＭ２０４に保存する。
【００４９】
ステップ４１２で、ＲＡＭ２０４に保存されている起動タイマーのカウント値を初期化し、携帯情報端末の電源１０２をオフにし、ステップ４０２を繰り返し実行する。
【００５０】
つぎに、図１及び図５を参照して、携帯情報端末探索センター１０５が携帯情報端末１０２から位置情報やパスワードなどのデータを受信したときの処理を説明する。
【００５１】
ステップ５０１で、携帯情報端末探索センター１０５は、所在が不明になった携帯情報端末１０２から送られてきたデータを受信する。
【００５２】
ステップ５０２で、携帯情報端末１０２の電話番号、位置情報、日時、パスワード、シリアル番号などのデータを携帯情報端末情報データベース１０８へ登録する。
【００５３】
ステップ５０３で、携帯情報端末１０２に対して、携帯情報端末情報データベース１０８への登録の確認信号を送信する。
【００５４】
ステップ５０４で、携帯情報端末１０２の電話番号、シリアル番号をもとに、所有者１０６の連絡先や連絡手段のデータを所有者データベース１０７から取得する。
【００５５】
ステップ５０５で、ステップ５０４で取得した連絡手段（電話、ＦＡＸ、電子メール、郵送等の、当該携帯情報端末とは異なった媒体）により、携帯情報端末１０２の位置情報やパスワードを所有者１０６へ連絡する。
【００５６】
さらに、図１及び図６を参照して、携帯情報端末探索センター１０５が携帯情報端末１０２を紛失した所有者１０６から探索要求を受けたときの処理を説明する。
【００５７】
ステップ６０１で、携帯情報端末探索センター１０５は、携帯情報端末１０２を紛失した所有者１０６から探索要求、及び所有者１０６であることを証明するためのパスワードやキーワードを受け付ける。
【００５８】
ステップ６０２で、探索要求した所有者１０６を認証するために、所有者データベース１０７から所有者１０６のパスワードやキーワードを検索する。
【００５９】
ステップ６０３で、探索要求した所有者１０６から受け付けたパスワードやキーワードがステップ６０２で検索したパスワードやキーワードと一致した場合は、ステップ６０５を実行し、一致していない場合は、ステップ６０４を実行する。
【００６０】
ステップ６０４で、探索要求した所有者１０６へ認証できなかったことを、当該携帯情報端末は異なった媒体である、郵送、電話、ＦＡＸ又は電子メールなどで連絡する。
【００６１】
ステップ６０５で、探索要求している携帯情報端末１０２の情報を携帯電話端末情報データベース１０８から検索する。
【００６２】
ステップ６０６で、ステップ６０５の実行結果により、探索している携帯情報端末１０２の端末情報が登録されていた場合は、ステップ６１０を実行し、登録されていない場合は、ステップ６０７を実行する。
【００６３】
ステップ６０７で、携帯情報端末１０２を呼び出す。
【００６４】
ステップ６０８で、携帯情報端末１０２と通信できるかをチェックする。通信できる場合は、ステップ６０９を実行し、通信できない場合はステップ６１１を実行する。
【００６５】
ステップ６０９で、位置情報、パスワード、シリアル番号のデータを携帯情報端末１０２から取得し、これらのデータを携帯電話端末情報データベース１０８へ登録し、携帯情報端末１０２に対して、携帯情報端末情報データベース１０８への登録の確認信号を送信する。
【００６６】
ステップ６１０で、探索要求した所有者１０６へ携帯情報端末１０２の位置情報やパスワードを当該携帯情報端末は異なった媒体である、郵送、電話、ＦＡＸ又は電子メールなどで連絡する。
【００６７】
ステップ６１１で、探索要求した所有者１０６へ携帯情報端末１０２へ通信できなかったことを電話やＦＡＸや電子メールなどで連絡する。
【００６８】
以上のように、本発明の実施の形態では、携帯情報端末探索サービスシステムにおいて、所在が不明になった携帯情報端末１０２の電源のオン／オフにかかわらず、自動的に、携帯情報端末１０２の位置情報データを取得して、携帯情報端末探索センター１０５へ送信し、携帯情報端末探索センター１０５が携帯情報端末１０２の位置情報を所有者１０６へ通知する構成とすることで、本来の所有者１０６が携帯情報端末１０６の位置を正確に知ることが可能となる。
【００６９】
また、上記構成の携帯情報端末１０２に、パスワードを変更し、携帯情報端末１０２をロックできる構成とすることで、他の利用者が携帯情報端末を悪用することを防止することができる。
【００７０】
【発明の効果】
以上の説明から明らかなように、本発明では、待ち受け状態タイマー又は起動タイマーにより一定時間毎に携帯情報端末の位置情報を携帯情報端末検索センターに送信することで、携帯情報端末の電源状態にかかわらず、検索要求のあった携帯情報端末の現在の位置情報を通知することができる。また、携帯情報端末をロックすることで、紛失、盗難により所在が不明になった携帯情報端末が他の利用者に悪用されることがない。
【図面の簡単な説明】
【図１】本発明の携帯情報端末探索サービスシステムを示す構成図。
【図２】本発明の携帯情報端末サービスシステムで使用される携帯情報端末の構成を示すブロック図。
【図３】本発明の携帯情報端末探索サービスシステムにおいて、携帯情報端末の電源がオンの場合の、携帯情報端末探索センターへ位置情報を送信する処理を示すフローチャート。
【図４】本発明の携帯情報端末探索サービスシステムにおいて、携帯情報端末の電源がオフの場合、携帯情報端末探索センターへ位置情報を送信する処理を示すフローチャート。
【図５】本発明の携帯情報端末探索サービスシステムにおいて、携帯情報端末探索センターが携帯情報端末からデータを受信したときの処理を示すフローチャート。
【図６】本発明の携帯情報端末探索サービスシステムにおいて、携帯情報端末探索センターが所有者から探索要求を受けたときの処理を示すフローチャート。
【符号の説明】
１０１　携帯情報端末探索サービスシステム
１０２　携帯情報端末
１０３　基地局
１０４　ＧＰＳ人工衛星
１０５　携帯情報端末探索センター
１０６　所有者
１０７　所有者データベース
１０８　携帯情報端末情報データベース
１０９　ネットワーク
２０１　システム制御部
２０２　ＣＰＵ
２０３　ＲＯＭ
２０４　ＲＡＭ
２０５　通信部
２０６　Ｉ／Ｏコントローラ
２０７　位置情報取得部
２０８　時計部
２０９　電源制御部
２１０　アンテナ
２１１　ディスプレイ
２１２　キー
２１３　スピーカ
２１４　マイク
２１５　電池
２１６　補助電池
２１７　バス
【図１】
2004007194.tif 000003
【図２】
2004007194.tif 000004
【図３】
2004007194.tif 000005
【図４】
2004007194.tif 000006
【図５】
2004007194.tif 000007
【図６】
2004007194.tif 000008